(57)【要約】      （修正有）【課題】  １次側電源からラジオチューナーへのノイズ妨害を防止した光ディスク記録再生装置を提供する。【解決手段】  光ディスク記録再生装置の前面中央に光ディスク記録再生ユニット５０を配置し、一方の側方には電源回路基板６０を配置し、他方の側方にはデジタル信号処理回路基板７０を配置し、さらに後方にはラジオチューナー９０とマイクロコンピュータ８１とアナログ回路８２を配置する。これにより、ノイズにより妨害されることがなく、確実に無線電波を受信することができる。【選択図】      図２
2005135552.tif 000002
【特許請求の範囲】
【請求項１】
光ディスク記録再生装置の前面横方向中央に光ディスク記録再生ユニットを配置し、該光ディスク記録再生ユニットを挟んで一方の側方には電源回路基板を配置し、他方の側方にはデジタル信号処理回路基板を配置し、さらに前記光ディスク記録再生ユニットの後方には光ディスク記録再生装置全体を制御するマイクロコンピュータとアナログ回路を有するアナログ信号処理回路基板を配置し、該アナログ信号処理回路基板には前記電源回路基板上の１次側電源から遠い側にラジオチューナーを配置したことを特徴とする光ディスク記録再生装置。
【請求項２】
前記電源回路基板には、光ディスク記録再生装置の前面側に１次側電源を配置し、後方側に２次側電源を配置して、前記ラジオチューナーを前記１次側電源から離して配置したことを特徴とする請求項１記載の光ディスク記録再生装置。
【請求項３】
前記電源回路基板上の、１次側電源に対する電源供給は、光ディスク記録再生装置の後面側から底面フレームの側部に沿って配設された電源コードによって為されることを特徴とする請求項２記載の光ディスク記録再生装置。
【請求項４】
光ディスク記録再生装置を制御する回路基板を、前記１次側電源及び２次側電源が配置された前記電源回路基板と、デジタル信号処理を行うデジタル回路が設けられたデジタル信号処理回路基板と、光ディスク記録再生装置全体を制御するマイクロコンピュータとアナログ回路を有するアナログ信号処理回路基板とにより構成し、これら３つの基板が前記光ディスク記録再生ユニットを囲むように配置したことを特徴とする請求項１から３の内の１つの請求項記載の光ディスク記録再生装置。
【請求項５】
前記電源回路基板、前記デジタル信号処理回路基板および前記アナログ信号処理回路基板の３つの基板が、前記光ディスク記録再生ユニットをコ字型に囲む配置としたことを特徴とする請求項４記載の光ディスク記録再生装置。
【発明の詳細な説明】
【技術分野】
【０００１】
本発明は、ＤＶＤ（Ｄｉｇｉｔａｌ  Ｖｅｒｓａｔｉｌｅ  Ｄｉｓｋ）装置等の光ディスク記録再生ユニットを備えた光ディスク記録再生装置に関するものである。さらに詳しくは、光ディスク記録再生ユニット及びラジオチューナーを備えた光ディスク記録再生装置の配置構成に関する。
【背景技術】
【０００２】
従来から、テレビの放送などを記録又は再生するために、記録媒体たる光ディスクを取り込み記録や再生などを行うＤＶＤ（Ｄｉｇｉｔａｌ  Ｖｅｒｓａｔｉｌｅ  Ｄｉｓｋ）装置やＶＣＲ（Ｖｉｄｅｏ  Ｃａｓｓｅｔｔｅ  Ｒｅｃｏｒｄｅｒ）装置を備えた電子機器である記録再生装置が利用されている。このようなＶＣＲ装置を備えた記録再生装置は、例えば、テレビジョン受像機などにより放送された画像・音声を磁気テープに記録し、必要に応じて、記録された画像・音声を後に視聴することができる。磁気テープを利用する記録再生装置においては、磁気テープに画像・音声が記録されるのでテープの長さに物理的に制限がある磁気テープを利用する場合においては、長時間の記録などが必要な場合は、不向きであった。そこで、近年においてはＤＶＤ（Ｄｉｇｉｔａｌ  Ｖｅｒｓａｔｉｌｅ  Ｄｉｓｋ）装置を備えた大容量の画像・音声を記録したり再生することが可能な記録媒体たる光ディスクを用いる記録再生装置が実用化され、さらに消費者のニーズに対応して、種々の機能を有する記録再生装置が普及してきている。
【０００３】
また、図５は従来から用いられている光ディスク記録再生装置の全体の構成を示す概略図であり、図５に示すように従来の光ディスク記録再生装置１００は、光ディスク記録再生ユニット１０１を略中央に備え、一般的に電源回路を構成する１次側電源１０２が、電源コンセントに接続する電源コード１０３の装置内の回路への張りまわしを短くするために、単に、光ディスク記録再生装置１００の後部に配置されていた。
【０００４】
また、例えば、特開２００２−５０１７１号公報には、磁気などのノイズ源に対する対策を行ったＤＶＤユニットを備えた再生装置が開示されており、単に、再生装置を左右方向に分割する分割磁気遮蔽板によってノイズなどの磁気を遮蔽するものが開示されている。
【特許文献１】特開２００２−５０１７１号公報
【発明の開示】
【発明が解決しようとする課題】
【０００５】
しかし、前述した複合電子機器などにおいては、多種類の機能を有することにより、その構成において種々の問題が生じている。例えば、記録再生装置にラジオ放送などの電波を受信するラジオチューナーを有している場合においては、種々の機能を備えるために部品点数が必然的に多くなり機器本体を大型にしなければならない場合がある。また、消費者のニーズに対応して機器を小型とした場合には、機器内の部品や装置などの部品点数が多くなることによって機器内のスペースに余裕がなくなり、例えば電波を受信するラジオチューナーを備えている機器においては、機器内の各装置が近接し、１次側電源などから発生する磁場および電磁波によるノイズによって、ラジオチューナーの受信電波が妨害され、結果的にスピーカーから発生する音声などに雑音が発生するなどの影響を受けていた。
【０００６】
本発明は上述した問題点を解決するものであり、１次側電源などのノイズを発生する装置とノイズの影響を受け易い例えばラジオチューナーなどの装置を近接させずに配置した記録再生装置を提供するものである。さらに詳しくは、記録再生装置の１次側電源とラジオチューナーを離した状態で配置して、１次側電源などからのノイズをラジオチューナーに影響することを防止し、ラジオチューナーによりラジオ機能の選局を行った時、１次側電源からのノイズの妨害を防止できる小型化されたラジオ機能を備えた光ディスク記録再生装置を提供することを目的とする。
【課題を解決するための手段】
【０００７】
請求項１の発明の光ディスク記録再生装置は、光ディスク記録再生装置の前面横方向中央に光ディスク記録再生ユニットを配置し、該光ディスク記録再生ユニットを挟んで一方の側方には電源回路基板を配置し、他方の側方にはデジタル信号処理回路基板を配置し、さらに前記光ディスク記録再生ユニットの後方には光ディスク記録再生装置全体を制御するマイクロコンピュータとアナログ回路を有するアナログ信号処理回路基板を配置し、該アナログ信号処理回路基板には前記電源回路基板上の１次側電源から遠い側にラジオチューナーを配置したことを特徴とするものである。
【０００８】
請求項２の発明の光ディスク記録再生装置は、前記電源回路基板には、光ディスク記録再生装置の前面側に１次側電源を配置し、後方側に２次側電源を配置して、前記ラジオチューナーを前記１次側電源から離して配置したことを特徴とするものである。
【０００９】
請求項３の発明の光ディスク記録再生装置は、前記電源回路基板上の、１次側電源に対する電源供給は、光ディスク記録再生装置の後面側から底面フレームの側部に沿って配設された電源コードによって為されることを特徴とするものである。
【００１０】
上記請求項１、請求項２及び請求項３の構成によれば、電磁波などのノイズの影響を受け易いラジオチューナーが無線電波を受信している際に、電磁波などのノイズを発生する１次側電源と離して配置されているので、無線電波がノイズにより妨害されることがないので、確実に無線電波を受信することができる。
【００１１】
請求項４の発明の光ディスク記録再生装置は、請求項１から３の内の１つの請求項に記載の構成に加え前記１次側電源及び２次側電源が配置された前記電源回路基板と、デジタル信号処理を行うデジタル回路が設けられたデジタル信号処理回路基板と、光ディスク記録再生装置全体を制御するマイクロコンピュータとアナログ回路を有するアナログ信号処理回路基板とにより構成され、これら３つの基板が前記光ディスク記録再生ユニットを囲むように配置したことを特徴とするものである。
【００１２】
上記構成によれば、電磁波などのノイズの影響を受けない光ディスク記録再生ユニットが、１次側電源のノイズを遮るので、ラジオチューナーに対する１次側電源からのノイズの障害を確実に防止することができる。
【００１３】
また、請求項５の発明の光ディスク記録再生装置は、請求項４の構成に加え、前記電源回路基板、前記デジタル信号処理回路基板および前記アナログ信号処理回路基板の３つの基板が、前記光ディスク記録再生ユニットをコ字型に囲む配置としたことを特徴とするものである。
【００１４】
上記請求項５の構成によれば、電磁波などのノイズの影響を受けない光ディスク記録再生ユニットをコ字型に囲んで、１次側電源のノイズを遮るので、ラジオチューナーに対する１次側電源からのノイズの障害を確実に防止することができる。
【発明の効果】
【００１５】
請求項１乃至３の発明によれば、電磁波などのノイズを発生する１次側電源と離して配置されているので、無線電波がノイズにより妨害されることなく確実に無線電波を受信することができる。
【００１６】
請求項４の発明によれば、前記１次側電源及び２次側電源が配置された前記電源回路基板と、デジタル信号処理を行うデジタル回路が設けられたデジタル信号処理回路基板と、光ディスク記録再生装置全体を制御するマイクロコンピュータとアナログ回路を有するアナログ信号処理回路基板とにより構成され、これら３つの基板が前記光ディスク記録再生ユニットを囲むように配置したことにより、ノイズの障害を確実に防止することができる。
【００１７】
請求項５の発明によれば、前記電源回路基板、前記デジタル信号処理回路基板および前記アナログ信号処理回路基板の３つの基板が、前記光ディスク記録再生ユニットをコ字型に囲む配置としたので、ノイズの影響のない光ディスク記録再生装置を提供することができる。
【発明を実施するための最良の形態】
【００１８】
以下、図１から図４を参酌しながら、本発明を実施するための最良の形態としての実施例を以下に説明する。もちろん、本発明は、その発明の趣旨に反しない範囲で、実施例において説明した以外の構成のものに対しても容易に適用可能なことは説明を要するまでもない。
【００１９】
なお、本実施例における記録再生装置は、ラジオ機能を有するＤＶＤ（Ｄｉｇｉｔａｌ  Ｖｅｒｓａｔｉｌｅ  Ｄｉｓｋ）等の光ディスク記録再生ユニットを備えた光ディスク記録再生装置１０である。なお、本実施例においては、電子回路や回路素子などについては図示を省略している。
【００２０】
図１は、本発明に係る光ディスク記録再生装置の上部に取付けられる上面フレームを取り外した状態の平面図である。
【００２１】
光ディスク記録再生装置１０は、図１に示すように全体が概ね箱型に形成されている。そして、光ディスク記録再生装置の筐体２０は、上面フレーム２１、前面パネル２２、背面フレーム２３及び底面フレーム２４より構成されており、上面フレーム２１、前面パネル２２及び背面フレーム２３がネジなどにより底面フレーム２４に対して取付けられている。
【００２２】
また、上面フレーム２１は断面コ字型に形成されており、光ディスク記録再生装置の上面及び側面を覆うように構成されている（本発明とは直接的には関係しないので、装置全体の斜視図を示すことは省略している）。また、前面パネル２２の上方には、記録媒体である光ディスクを挿入するための開口部３０が形成され、一方、前面パネル２２の下方には光ディスクの再生状態やラジオの周波数などを表示する表示部３１が設けられている。
【００２３】
また、前面パネル２２の開口部３０の下方には光ディスクの再生記録やラジオを操作するための操作部３２が設けられている。また、背面フレーム２３に設けられたコンセント等から延びる電源コード３３が底面フレーム２４の側部に沿って配設され、後述する１次側電源６１に接続されている。また、背面フレーム２３には、外部の電子機器と接続するための入力端子４１及び出力端子４２が各々備えられると共に、ヘッドフォンを接続するためのヘッドフォン端子４３が設けられている。
【００２４】
５０は、映像・音声情報を記録再生可能な光ディスクを再生記録可能な光ディスク記録再生ユニットであり、この光ディスク記録再生ユニット５０は、この光ディスク記録再生ユニット５０の下面の四隅に形成されている複数の取付孔５１に、ネジ５２によって底面フレーム２４の前方側すなわち光ディスク記録再生装置１０の前面横方向中央に取付けられている。
【００２５】
また、光ディスク記録再生装置１０の右側面側（図２における左側）には、１次側電源６１及び２次側電源６２が設けられた電源回路基板６０が配置されている。なお、１次側電源６１は、図２に示すように、２次側電源６２より前側であって光ディスク記録再生装置１０の前面右側（図２に示す左下）に設けられている。また、光ディスク記録再生装置１０の左側面側（図２における右側）には、光ディスク記録再生ユニット５０などのデジタル信号処理を行うデジタル回路７１が設けられたデジタル信号処理回路基板７０が設けられている。また、このデジタル信号処理回路基板７０には、ＤＳＰ（Ｄｉｇｉｔａｌ  Ｓｉｇｎａｌ  Ｐｒｏｃｅｓｓｏｒ）７２が備えられている。なお、このＤＳＰ７２は、光ディスク記録再生ユニット５０及び後述するラジオチューナー等からのオーディオ信号をマイクロコンピュータ８１からの制御により処理／出力する。
【００２６】
また、光ディスク記録再生装置１０の全体を制御するアナログ回路８２を有するアナログ信号処理回路基板８０は、光ディスク記録再生装置１０の背面側であって、かつ、背面フレーム２３に当接した状態（図１における上部）で配置されている。そして、このアナログ信号処理回路基板８０の概ね中央には中央制御手段たるマイクロコンピュータ８１が配置されている。そして、このマイクロコンピュータ８１をアナログ信号処理回路基板８０の概ね中央に配置することにより、図示しない複数の回路素子などのアナログ信号処理回路基板８０上のパターンを引き回さなくて済むので、複数の回路素子などをアナログ信号処理回路基板８０上に集積化することができ、その結果、集積率が向上させることが可能である。
【００２７】
電源回路基板６０の１次側電源６１に通電されると、１次側電源６１が発振することにより、図示しないトランスを介して、２次側電源６２に電力（電圧と電流）が供給されて、アナログ信号処理回路基板８０のアナログ回路８２、デジタル信号処理回路基板７０のデジタル回路７１の順に電力（電圧と電流）が供給される。
【００２８】
９０は、無線電波による放送を受信すると共に受信した無線電波の選局や同調操作などを行うラジオチューナーである。このラジオチューナー９０は、図１に示すように光ディスク記録再生ユニット５０の後方であって、かつ、光ディスク記録再生装置１０の後方略中央部に設けられており、アナログ信号処理回路基板８０の上方に配設されている。
【００２９】
ラジオチューナー９０はラジオ選局時などに無線電波の受信状態である際に、電源回路基板６０の１次側電源６１やＤＳＰ７２から発生する電磁波や磁場などのノイズによって、ラジオチューナー９０により受信する無線電波が妨害される悪影響を防止するために、１次側電源６１が光ディスク記録再生装置１０の前方に配置され、かつ、ラジオチューナー９０を光ディスク記録再生ユニット５０の後方に配置されることにより、１次側電源６１とラジオチューナー９０を離した状態で配置して距離を確保している。
【００３０】
このように、電源回路基板６０の１次側電源６１とラジオチューナー９０を距離を離した状態で配置することにより、１次側電源６１に構成される図示しないスイッチング電源から発生する電磁波などのノイズが、ノイズの影響の受け易いラジオチューナー９０に磁界の影響を与えることを防止することができるので、ラジオチューナー９０で無線電波を受信する際に、受信した放送の音声などと関係のない雑音を確実に防止することができる。
【００３１】
なお、本実施例における電源回路基板６０の１次側電源６１は、光ディスク記録再生装置１０の前側に配置されているので、光ディスク記録再生装置１０内の電源コード３３の長さが、背面フレーム２３から引き回しているため長めではあるが、適宜、線の配線処理により対処することができる。
【００３２】
また、前述した、電源回路基板６０、デジタル信号処理回路基板７０およびアナログ信号処理回路基板８０は、それぞれ単独に３つに分けて光ディスク記録再生装置内１０に水平に配置されており、これら３つの基板により光ディスク記録再生ユニット５０をコ字型に囲んで配置されている。このような配置により、図２に示すように、電流の流れる方向Ａを、電源回路基板６０、アナログ信号処理回路基板８０、デジタル信号処理回路基板７０の順序となるように構成することにより、１次側電源６１の発振による電磁波やマイコンノイズなどのノイズの発生を受け易いアナログ信号処理回路基板８０のアナログ回路８２が、デジタル信号処理回路基板７０のデジタル回路７１に電流を流す前に電流が流れる構成となっているので、ノイズなどの影響を受けないと共に、デジタル回路７１から発生される発振、マイクロコンピュータ８１などのノイズおよび分周波がラジオチューナー９０や電源回路基板６０に実装されている電源回路などにも影響がない配置になっている。
【００３３】
また、光ディスク記録再生装置１０の全体の制御を行うマイクロコンピュータ８１を有するアナログ信号処理回路基板８０を、３枚の基板の内中央に配置し、中央制御手段であるマイクロコンピュータ８１をアナログ信号処理回路基板８０の中央に配置することにより、複数の回路素子のパターンの引き回しを少なくできるので、アナログ基板の回路素子などの集積率を向上することができる。
【００３４】
なお、前述したマイクロコンピュータ８１は、図３に示すように、１次側電源６１および２次側電源６２などの電源、ラジオチューナー９０、ＤＳＰ７２、光ディスク記録再生ユニット５０、ヘッドフォン端子４３、オペレーションなどの種々の制御を行う必要があるために３枚の基板の内の中央であって、中央に配置されたアナログ信号処理回路基板８０の略中央に配置されている。
【００３５】
以上説明したように本発明によれば、光ディスク記録再生装置１０は、光ディスク記録再生装置１０の前面横方向中央に光ディスク記録再生ユニット５０を配置し、光ディスク記録再生ユニット５０を挟んで一方の側方には電源回路基板６０を配置し、他方の側方にはデジタル信号処理回路基板７０を配置し、さらに光ディスク記録再生ユニット５０の後方には光ディスク記録再生装置全体を制御するマイクロコンピュータ８１とアナログ回路８２を有するアナログ信号処理回路基板８０を配置し、アナログ信号処理回路基板８０には電源回路基板６０上の１次側電源６１から遠い側にラジオチューナー９０を配置したものである。また、光ディスク記録再生装置１０は、電源回路基板６０には、光ディスク記録再生装置１０の前面側に１次側電源６１を配置し、後方側に２次側電源６２を配置して、ラジオチューナー９０を１次側電源６１から離して配置したものである。また、光ディスク記録再生装置１０は、電源回路基板６０上の、１次側電源６１に対する電源供給は、光ディスク記録再生装置１０の後面側から底面フレーム２４の側部に沿って配設された電源コード３３によって為されたものである。これにより、電磁波などのノイズの影響を受け易いラジオチューナー９０が無線電波を受信している際に、電磁波などのノイズを発生する１次側電源６１と離して配置されているので、無線電波がノイズにより妨害されることがないので、確実に無線電波を受信することができる。
【００３６】
さらに、光ディスク記録再生装置１０を制御する回路基板を、１次側電源６１及び２次側電源６２が配置された電源回路基板６０と、デジタル信号処理を行うデジタル回路７１が設けられたデジタル信号処理回路基板７０と、光ディスク記録再生装置全体を制御するマイクロコンピュータ８１とアナログ回路８２を有するアナログ信号処理回路基板８０とにより構成し、これら３つの基板が前記光ディスク記録再生ユニット５０を囲むように配置したので、電磁波などのノイズの影響を受けない光ディスク記録再生ユニット５０が、１次側電源６１のノイズを遮るので、ラジオチューナー９０に対する１次側電源６１からのノイズの障害を確実に防止することができる。
【００３７】
しかも、光ディスク記録再生装置１０は、電源回路基板６０、デジタル信号処理回路基板７０およびアナログ信号処理回路基板８０の３つの基板が、光ディスク記録再生ユニット５０をコ字型に囲む配置としたので、電磁波などのノイズの影響を受けない光ディスク記録再生ユニット５０をコ字型に囲むことにより、１次側電源６１のノイズを遮るので、ラジオチューナー９０に対する１次側電源６１からのノイズの障害を確実に防止することができる。
【００３８】
なお、本実施例においては、光ディスクを記録再生可能な光ディスク記録再生ユニット５０を示しているが、光ディスクを記録または再生のいずれか一方が可能であってもよい。
【図面の簡単な説明】
【００３９】
【図１】本実施例における光ディスク記録再生装置の上面フレームを取り外した状態の平面図である。
【図２】同上光ディスク記録再生装置の全体構成を示す概略図である。
【図３】同上光ディスク記録再生装置の構成の説明図である。
【図４】同上光ディスク記録再生装置の構成の位置関係を示す図である。
【図５】従来例における光ディスク記録再生装置の全体構成を示す概略図である。
【符号の説明】
【００４０】
１０  光ディスク記録再生装置
２４  底面フレーム
３３  電源コード
５０  光ディスク記録再生ユニット
６０  電源回路基板
６１  １次側電源
６２  ２次側電源
７０  デジタル信号処理回路基板
７１  デジタル回路
８０  アナログ信号処理回路基板
８１  マイクロコンピュータ
８２  アナログ回路
９０  ラジオチューナー
【図１】
2005135552.tif 000003
【図２】
2005135552.tif 000004
【図３】
2005135552.tif 000005
【図４】
2005135552.tif 000006
【図５】
2005135552.tif 000007